(57)【特許請求の範囲】
【請求項１】
被印字媒体を搬送させるための搬送手段と、
前記被印字媒体に印字を行う印字手段と、
を有する印刷物作成装置であって、
バーコードオブジェクトとテキストオブジェクトとを含む複数の印字オブジェクトが割り付けられるテンプレートを記憶した、テンプレート記憶手段と、
前記被印字媒体を用いた印刷物の作成指示を受け付ける、指示受付手段と、
前記指示受付手段が前記作成指示を受け付けたことを契機に、前記印刷物作成装置が固有に保持する固有情報を取得する固有情報取得手段と、
前記指示受付手段が前記作成指示を受け付けたことを契機に、前記テンプレート記憶手段に記憶された前記テンプレートを読み込み、当該読み込んだテンプレートにおける所定の収集識別子の有無を判定する識別子判定手段と、
前記識別子判定手段により前記収集識別子があると判定された場合に、前記固有情報取得手段が取得した前記固有情報をバーコード化して前記テンプレートに含まれる前記バーコードオブジェクトの内容に割り当てた印字データを生成し、印字バッファに展開するバーコード化手段と、
前記バーコード化手段により前記印字バッファに展開された前記印字データを用いて前記搬送手段及び前記印字手段を制御し、前記割り当てがなされた後の前記バーコードオブジェクトに対応するバーコード印字部が形成された、前記印刷物を作成する制御手段と、
前記テキストオブジェクトの内容に割り当てるためのテキストデータを取得して前記印字データの一部として前記印字バッファに展開するテキストデータ取得手段と、
を有し、
前記制御手段は、
前記印字バッファに展開された前記印字データを用いて前記搬送手段及び前記印字手段を制御し、前記テキストデータ取得手段が取得した前記テキストデータが割り当てられた前記テキストオブジェクトに対応するテキスト印字部がさらに形成された、前記印刷物を作成する
ことを特徴とする印刷物作成装置。
【請求項２】
請求項１記載の印刷物作成装置において、
前記被印字媒体を厚さ方向に全切断又は部分切断する切断手段を有し、
前記制御手段は、
前記搬送手段、前記印字手段、及び前記切断手段を制御し、前記バーコード印字部と前記テキスト印字部との間が前記切断手段によって全切断又は部分切断された、前記印刷物を作成する
ことを特徴とする印刷物作成装置。
【請求項３】
請求項１又は請求項２記載の印刷物作成装置において、
前記バーコード化手段は、
前記識別子判定手段により前記収集識別子があると判定された場合に、前記固有情報取得手段が取得した前記固有情報、及び、前記テキストデータ取得手段が取得した前記テキストデータ、を共にバーコード化して前記テンプレートに含まれる前記バーコードオブジェクトの内容に割り当てた前記印字データを生成し前記印字バッファに展開し、
前記制御手段は、
前記バーコード化手段により前記印字バッファに展開された前記印字データを用いて前記搬送手段及び前記印字手段を制御し、前記バーコード化手段による前記割り当てがなされた後の前記バーコードオブジェクトに対応する前記バーコード印字部と、前記テキストデータ取得手段が取得した前記テキストデータが割り当てられた前記テキストオブジェクトに対応する前記テキスト印字部と、が形成された、前記印刷物を作成する
ことを特徴とする印刷物作成装置。
【請求項４】
請求項１乃至請求項３のいずれか１項記載の印刷物作成装置において、
前記固有情報取得手段が取得する前記固有情報は、
前記印刷物作成装置の個体識別番号、及び、前記印刷物の作成日時、のうち少なくとも一方を含む
ことを特徴とする印刷物作成装置。
【請求項５】
請求項１乃至請求項４のいずれか１項記載の印刷物作成装置において、
前記固有情報取得手段が取得する前記固有情報は、
前記テンプレート記憶手段から読み込まれた前記テンプレートの前記テキストオブジェクトに予め割り当てられていた内容に対する、編集処理情報を含む
ことを特徴とする印刷物作成装置。
【発明の詳細な説明】
【技術分野】
【０００１】
本発明は、被印字媒体に所望の印字を行って印刷物を作成する印刷物作成装置に関する。
【背景技術】
【０００２】
被印字媒体（テープ）に印刷を行って印刷物（ラベル）を作成することが可能な印刷装置が知られている（例えば、特許文献１参照）。この従来技術の印刷物作成装置では、例えばＰＣやスマートフォン等の高機能端末からデータベースを取り込み、取り込んだデータベースの複数のレコードのそれぞれに含まれる複数の項目（以下、「オブジェクトデータ」という。）を、被印字媒体に印刷して印刷物を作成する（いわゆるデータベース印刷）。また、その際には、各レコードの上記オブジェクトデータを自動的にバーコード化し、印刷物中に印字形成することができる。
【先行技術文献】
【特許文献】
【０００３】
【特許文献１】特開２００８−１５８４６号公報
【発明の概要】
【発明が解決しようとする課題】
【０００４】
ところで、近年、新しいニーズとして、上記データベース印刷の際、印刷物作成装置が固有に保持する（言い替えれば、印刷物作成装置に対し接続される機器等では取得できない）固有情報もバーコード化して印刷物中に印字形成したい、というニーズが生じている。このような場合、上記従来技術においては、接続された高機能端末側で固有情報を印刷物作成装置から吸い上げた後、当該高機能端末側においてデータを作成し、改めて印刷物作成装置に指示する必要があり、不便であった。
【０００５】
本発明の目的は、装置の固有情報をバーコード化して表記した印刷物を容易に作成できる、印刷物作成装置を提供することにある。
【課題を解決するための手段】
【０００６】
上記目的を達成するために、本願発明は、被印字媒体を搬送させるための搬送手段と、前記被印字媒体に印字を行う印字手段と、を有する印刷物作成装置であって、バーコードオブジェクトとテキストオブジェクトとを含む複数の印字オブジェクトが割り付けられるテンプレートを記憶した、テンプレート記憶手段と、前記被印字媒体を用いた印刷物の作成指示を受け付ける、指示受付手段と、前記指示受付手段が前記作成指示を受け付けたことを契機に、前記印刷物作成装置が固有に保持する固有情報を取得する固有情報取得手段と、前記指示受付手段が前記作成指示を受け付けたことを契機に、前記テンプレート記憶手段に記憶された前記テンプレートを読み込み、当該読み込んだテンプレートにおける所定の収集識別子の有無を判定する識別子判定手段と、前記識別子判定手段により前記収集識別子があると判定された場合に、前記固有情報取得手段が取得した前記固有情報をバーコード化して前記テンプレートに含まれる前記バーコードオブジェクトの内容に割り当てた印字データを生成し、印字バッファに展開するバーコード化手段と、前記バーコード化手段により前記印字バッファに展開された前記印字データを用いて前記搬送手段及び前記印字手段を制御し、前記割り当てがなされた後の前記バーコードオブジェクトに対応するバーコード印字部が形成された、前記印刷物を作成する制御手段と、前記テキストオブジェクトの内容に割り当てるためのテキストデータを取得して前記印字データの一部として前記印字バッファに展開するテキストデータ取得手段と、を有し、前記制御手段は、前記印字バッファに展開された前記印字データを用いて前記搬送手段及び前記印字手段を制御し、前記テキストデータ取得手段が取得した前記テキストデータが割り当てられた前記テキストオブジェクトに対応するテキスト印字部がさらに形成された、前記印刷物を作成することを特徴とする。
【０００７】
本願発明の印刷物作成装置においては、少なくともバーコードオブジェクトを割り付けたテンプレートが、テンプレート記憶手段に記憶されている。当該テンプレートを用いて印刷物を作成することで、上記バーコードオブジェクトに対応したバーコード印字部が、当該印刷物中に形成される。その際、上記テンプレートの上記バーコードオブジェクト中に予め所定の収集識別子を設けておくことで、印刷物作成装置が固有に保持する（言い替えれば印刷物作成装置に対する接続機器等では取得できない）固有情報もバーコード化することができ、その内容を上記バーコード印字部中に含めることができる。
【０００８】
すなわち、指示受付手段が印刷物の作成指示を受け付けると、固有情報取得手段が上記固有情報（例えば、印刷物作成装置の個体識別番号、印刷物の作成日時等）を取得する。また、テンプレート記憶手段に記憶されたテンプレートが読み込まれるとともに、識別子判定手段が、その読み込んだテンプレートに上記収集識別子があるかどうかを判定する。収集識別子が存在し判定が満たされた場合には、上記取得された固有情報がバーコード化手段によってバーコード化された後、上記テンプレートに含まれるバーコードオブジェクトの内容として割り当てられる。そして、搬送手段及び印字手段が、制御手段により連携して制御されて、上記割り当てがなされたバーコードオブジェクトに対応するバーコード印字部を被印字媒体に形成することで、当該バーコード印字部を含む印刷物が作成される。
【０００９】
以上のようにして、本願発明においては、テンプレートのバーコードオブジェクト中に予め所定の収集識別子を設けておくだけで上記固有情報を自動収集し、その固有情報をバーコード化して表記した印刷物を（例えばＰＣやスマートフォン等の高機能端末を印刷物作成装置に接続して上記固有情報を吸い上げる、使用者の手間なしに）容易に作成することができる。この結果、使用者にとっての利便性を向上することができる。
【発明の効果】
【００１０】
本発明によれば、装置の固有情報をバーコード化して表記した印刷物を容易に作成することができる。
【図面の簡単な説明】
【００１１】
【図１】本発明の第１実施形態の印字ラベル作成装置の外観を表す斜視図である。
【図２】印字ラベル作成装置の全体構造を表す側断面図である。
【図３】印字ラベル作成装置の制御系を表す機能ブロック図である。
【図４】作成された印字ラベルの一例を表す図である。
【図５】データベースの一例を表す説明図である。
【図６】データベースのデータがテンプレートに流し込まれる前後の状態を表す説明図である。
【図７】テンプレートのデータ構造を概念的に説明するための模式図である。
【図８】バーコードオブジェクトの識別情報中に収集識別子が含まれる場合の、データ構造を概念的に説明するための模式図である。
【図９】図８のテンプレートによって作成された印字ラベルの一例を表す外観図である。
【図１０】シリアルナンバーをテキスト印字部にも表記した変形例を表す印字ラベルの外観図である。
【図１１】バーコードオブジェクトの識別情報中に収集識別子が含まれる場合の、データ構造を概念的に説明するための模式図である。
【図１２】図１１のテンプレートによって作成された印字ラベルの一例を表す外観図である。
【図１３】シリアルナンバーをテキスト印字部にも表記した変形例を表す印字ラベルの外観図である。
【図１４】バーコードオブジェクトの識別情報中に収集識別子が含まれない場合の、データ構造を概念的に説明するための模式図である。
【図１５】ＣＰＵによって実行される制御内容を表すフローチャートである。
【図１６】本発明の第２実施形態のラベル印刷装置を、接続されるバーコードリーダとともに表す構成図である。
【図１７】ラベル作成装置の開閉蓋を開いた状態で装置本体の内部のカートリッジホルダ及びそれに装着させるカートリッジの外観構成を表す斜視図である。
【図１８】カートリッジを装着した状態のカートリッジホルダの周辺部分を、カートリッジとともに示す図である。
【図１９】ラベル作成装置の機能構成を表す機能ブロック図である。
【図２０】作成された印字ラベルの一例を表す外観図である。
【図２１】図２０（ａ）中のＸ−Ｘ断面による横断面図である。
【図２２】ＣＰＵによって実行される制御内容を表すフローチャートである。
【発明を実施するための形態】
【００１２】
以下、本発明の実施形態を図面を参照しつつ説明する。
【００１３】
本発明の第１実施形態を図１〜図１５により説明する。
【００１４】
＜外観概略構成＞
本実施形態に係わる印字ラベル作成装置の外観構成を図１により説明する。なお、以下の説明において、前・後方向、左・右方向、上・下方向は、図１中に適宜示す矢印の方向を表す。
【００１５】
図１において、本実施形態の印字ラベル作成装置１（印刷物作成装置に相当）は、装置の外郭を構成し、フロントパネル６を備えた装置筐体２と、上カバーユニット５とを有している。これら装置筐体２及び上カバーユニット５は例えば樹脂製である。上カバーユニット５は、タッチパネル部５Ａと、操作ボタン部５Ｃと、を備えている。
【００１６】
上カバーユニット５は、後方端部において装置筐体２に回転軸部２ａ（後述する図２参照）を介して回動可能に接続されており、これにより上カバーユニット５は装置筐体２に対し開閉可能な構造となっている。なお、上カバーユニット５の下部には、上記装置筐体２の一部を構成する筐体カバー部２Ａが一体に構成されており、上カバーユニット５の開閉時には、筐体カバー部２Ａも一体となって開閉する。
【００１７】
操作ボタン部５Ｃは、上カバーユニット５の前方寄りの上面位置に設けられ、印字ラベル作成装置１の電源ボタン７Ａや、周辺機器作動状態を表示させるためのステータスボタン７Ｂ、フィードボタン７Ｃ等が配置されている。
【００１８】
タッチパネル部５Ａには、操作面（図示せず）を備えており、この操作面に対し上方からユーザが指先等で接触することにより、所望の操作入力を行うことができ、その操作に応じた印字が形成された印字ラベルＬ（後述の図４等参照）を作成することができる。なお、上記操作面の上には、上記操作入力を円滑に行えるようにするために、操作シートＳＨが載置される。
【００１９】
装置筐体２の左右の両側壁には、解除つまみ１７が設けられている。この解除つまみ１７を上方に押し上げることによって、装置筐体２への上カバーユニット５の係止が解除され、上カバーユニット５が開放可能な状態となる。
【００２０】
フロントパネル６には、第１排出口６Ａと、当該第１排出口６Ａよりも下方側の部位に位置する第２排出口６Ｂとが、設けられている。また、フロントパネル６のうち第２排出口６Ｂを備えた部分は、例えば後述の被印字テープ３Ａの設置や排紙等の便宜を図るために、前方側へ回動可能な開閉蓋６Ｃとなっている。
【００２１】
第１排出口６Ａは、上カバーユニット５を閉じ状態としたときに、装置筐体２の前面側上縁部と上記上カバーユニット５の前面側下縁部とによって形成される。なお、上カバーユニット５の第１排出口６Ａ側における下縁部内側には、切断刃８（切断手段）が下方に向けて付設されている（後述する図２も参照）。
【００２２】
＜内部構造＞
次に、図２を用いて、印字ラベル作成装置１の内部構造を説明する。
【００２３】
図２に示すように、印字ラベル作成装置１は、装置筐体２の内部空間の後方に、凹状のロール収納部４を有している。ロール収納部４は、所望の幅の被印字テープ３Ａ（被印字媒体に相当）をロール状に巻回したロール３を、被印字テープ３Ａがロール上側より繰り出されるように収納する。ロール収納部４の上方は、上カバーユニット５により開閉される。
【００２４】
ロール３を構成する被印字テープ３Ａには、図２中拡大図中に示すように、ラベル台紙ＬＰが剥離材層３ｃ上に長手方向に沿って離散的に配置されている。ラベル台紙ＬＰは、この例では２層構造となっており、後述する印字ヘッド６１によって印字が形成される被印字層３ａと、粘着剤層３ｂと、の順で積層されている。そして、ラベル台紙ＬＰは、上記粘着剤層３ｂの粘着力により所定間隔おきに剥離材層３ｃの一方側の面に接着されている。すなわち、被印字テープ３Ａは、ラベル台紙ＬＰが接着された部分では被印字層３ａ、粘着剤層３ｂ、及び剥離材層３ｃの３層構造となっており（図２中拡大図参照）、ラベル台紙ＬＰが接着されていない部分（すなわちラベル台紙ＬＰ同士の間の部分）では、剥離材層３ｃのみの１層構造となっている。印字が完了したラベル台紙ＬＰは、印字ラベル（以下適宜、印字形成後のラベル台紙ＬＰを「印字ラベルＬ」と称する。後述の図４等参照）として最終的に剥離材層３ｃより剥がされて利用される。
【００２５】
ロール収納部４の底面部には、３つの支持ローラ５１，５２，５３が設けられている。支持ローラ５１〜５３は、被印字テープ３Ａを搬送させるためのプラテンローラ６６（搬送手段に相当）が回転駆動されてロール３より被印字テープ３Ａを引き出す際に、少なくとも２つのローラがロール３の外周面に接触することにより、従動的に回転してロール３を回転可能に支持する。これら３つの支持ローラ５１〜５３は、ロール３に対する周方向位置がそれぞれ異なっており、前方から後方に向かって、ロール３の周方向に沿って、第１支持ローラ５１、第２支持ローラ５２、及び第３支持ローラ５３、の順に配置されている。これら第１〜第３支持ローラ５１〜５３は、上記左右方向（言い換えればロール幅方向）に複数の部分に分割されており、ロール幅に応じてロール３が搭載された部分だけが回転する。
【００２６】
＜プラテンローラ、印字ヘッド、及びその周辺構造＞
一方、上カバーユニット５の前端部下側には、プラテンローラ６６により搬送される被印字テープ３Ａに対し所望の印字を行う上記印字ヘッド６１（印字手段に相当）が設けられている。この印字ヘッド６１に上下方向に対向するように、装置筐体２の前端部上側に、上記プラテンローラ６６が設けられている。プラテンローラ６６のローラ軸６６Ａは、軸方向両端に設けたブラケット６５（図２参照）により回転自在に軸支されており、またローラ軸６６Ａの一方の軸端には、プラテンローラ６６を駆動するギア（図示省略）が固定されている。
【００２７】
このとき、プラテンローラ６６のローラ軸６６Ａに固定された上記ギアが、装置筐体２側の図示しないギア列に噛合し、ステッピングモータ等で構成されるプラテンローラ用モータ２１１（後述の図３参照）によりプラテンローラ６６を回転駆動する。これにより、プラテンローラ６６は、ロール収納部４に収納されたロール３より被印字テープ３Ａを繰り出し、被印字テープ３Ａをそのテープ幅方向を左右方向とした姿勢で搬送する。
【００２８】
印字ヘッド６１は、被印字テープ３Ａの搬送方向と直交する方向に、複数個の発熱素子を備えている。印字ヘッド６１の発熱素子が設けられた面と対向する側に、上記プラテンローラ６６は配置されている。発熱素子には、印字すべきドットパターンデータに従って通電がなされ、これによって、ロール３から繰り出された被印字テープ３Ａ上に文字や図像等が印字される。印字ヘッド６１に設けられた各発熱素子の駆動は、後述する図３に示す印字ヘッド制御回路２１７によって行われる。
【００２９】
すなわち、プラテンローラ６６が回転駆動され被印字テープ３Ａが引っ張られると、被印字テープ３Ａがロール３から繰り出され、ラベル台紙ＬＰ側の面を上方とした状態で搬送される。搬送される被印字テープ３Ａに対し、被印字テープ３Ａの上方に位置する印字ヘッド６１によって、タッチパネル部５Ａへのユーザの操作に対応した所望の印字が形成される。
【００３０】
また、プラテンローラ６６よりも前方側には、剥離材層３ｃをプラテンローラ６６の下方側へ折り返す剥離板２００が設けられている。すなわち、腰が強い被印字層３ａは上記のような折返し経路に追従できないことを利用し、剥離板２００において、剥離材層３ｃから被印字層３ａ及び粘着剤層３ｂが引き剥がされる。上記剥離板２００により剥離材層３ｃから引き剥がされた印字済みの被印字層３ａ及び粘着剤層３ｂ（言い換えれば印字ラベルＬＰ）は、剥離板２００のさらに前方側に位置する上記第１排出口６Ａを介し装置筐体２の外部へ排出される。その後、第１排出口６Ａより装置筐体２の外部へ排出され、ラベルとして使用される。切断刃８は、上記第１排出口６Ａを介し装置筐体２の外部へ排出される被印字層３ａ及び粘着剤層３ｂを、ユーザが所望の位置で切断するのに用いられる。
【００３１】
一方、プラテンローラ６６の下方には、上記剥離板２００により下方側へ折り返された剥離材層３ｃを、当該プラテンローラ６６との間に挟み込んで搬送するピンチローラ２０１が設けられている。上記ピンチローラ２０１により搬送された上記剥離材層３ｃは、上記第２排出口６Ｂから、装置筐体２の外部へ排出される。
【００３２】
＜制御系＞
次に、図３を用いて、印字ラベル作成装置１の制御系について説明する。
【００３３】
図３において、印字ラベル作成装置１には、所定の演算を行う演算部を構成するＣＰＵ２１２が備えられている。ＣＰＵ２１２は、後述する印字バッファ２１３Ａを備えたＲＡＭ２１３、ＲＯＭ２１４、及びメモリ２１５に接続されている。また、ＣＰＵ２１２は、上記プラテンローラ６６を駆動する上記プラテンローラ用モータ２１１の駆動制御を行うモータ駆動回路２１６と、上記印字ヘッド６１の発熱素子の通電制御を行う印字ヘッド制御回路２１７と、上記タッチパネル部５Ａとが接続されている。印字ラベル作成装置１による印刷日時を計時可能なタイマー２１２Ａと、ユーザのタッチ操作による上記タッチパネル５Ａの操作信号に基づき、ユーザが操作領域（図示せず）のうちいずれを押圧したかを識別する操作検知部２１２Ｂと、が設けられている。なお、ＣＰＵ２１２は、入出力インターフェース２１８を介してバーコードリーダＢＲやパーソナルコンピュータＰＣとも接続可能に構成されている（２点鎖線参照）。
【００３４】
ＲＯＭ２１４には、後述する制御処理（後述の図１５、図２２参照）等を実行するための制御プログラムが記憶されている。
【００３５】
ＣＰＵ２１２は、上記ＲＡＭ２１３の一時記憶機能を利用しつつＲＯＭ２１４に予め記憶されたプログラムに従って信号処理を行い、それによって印字ラベル作成装置１全体の制御を行う。
【００３６】
＜印字ラベルの構成＞
上記のようにして作成される印字ラベルＬ（印刷物に相当）の一例を、図４に示す。この例は、備品管理用として作成された印字ラベルＬの例である。図４において、印字ラベルＬは、枠線印字部ＬＦと、バーコード印字部ＬＢと、３つのテキスト印字部ＬＴ１，ＬＴ２，ＬＴ３とを備えている。
【００３７】
テキスト印字部ＬＴ１には、項目「品名」に対応する内容を表すテキスト文字、この例では「品名：プロジェクタ」が印刷されている。テキスト印字部ＬＴ２には、項目「資産コード」に対応する内容を表すテキスト文字、この例では「資産コード：０７−１２３」が印刷されている。テキスト印字部ＬＴ３には、項目「購入日」に対応する内容を表すテキスト文字、この例では「購入日：２０１２年８月２４日」が印刷されている。
【００３８】
バーコード印字部ＬＢには、上記「品名」「資産コード」「購入日」の各項目の情報内容、すなわち、「品名：プロジェクタ」「資産コード：０７−１２３」「購入日：２０１２年８月２４日」をそれぞれバーコード化したバーコードデータが記録されている。したがって、このバーコード印字部ＬＢを例えば適宜のバーコードリーダで読み取ることで、「品名：プロジェクタ」「資産コード：０７−１２３」「購入日：２０１２年８月２４日」の各情報を取得することができる。
【００３９】
枠線印字部ＬＦは、上記バーコード印字部ＬＢ及び３つのテキスト印字部ＬＴ１，ＬＴ２，ＬＴ３を互いに区切る区切り線と、全体を包囲する外枠線とを構築している。
【００４０】
＜データベース印刷＞
上記印字ラベルＬは、印字ラベル作成装置１において、テンプレートに割り付けられる文字列の内容を、データベースのレコードにより指定する、いわゆるデータベース印刷によって作成される。
【００４１】
＜データベースの一例＞
図５は、上記データベース印刷において用いられる、（例えば上記ＲＯＭ２１４やメモリ２１５に記憶されている）データベース３０の一例を表す図である。図５において、データベース３０では、横１行のデータ群を１つのレコードとして、各レコードに、番号（レコード番号）を表す文字列を割り当てた番号フィールド３１、印字ラベルＬが貼られる対象品の名前（品名）を表す文字列を割り当てた品名フィールド３２、資産コードを表す文字列を割り当てた資産コードフィールド３３、及び、印字ラベルＬが貼られる対象品の購入日を表す文字列を割り当てた購入日フィールド３４が含まれている。
【００４２】
例えば、このデータベース３０の１行目のレコードでは、番号フィールド３１に番号を表す文字列として「１」、品名フィールド３２に品名を表す文字列として「プロジェクタ」、資産コードフィールド３３を表す文字列として「０７−１２３」、購入日フィールド３４を表す文字列として「２０１２／８／２４」が、それぞれ割り当てられている。同様に、２行目のレコードでは、番号フィールド３１に番号を表す文字列として「２」、品名フィールド３２に品名を表す文字列として「プリンタ」、資産コードフィールド３３を表す文字列として「０９−２２４」、購入日フィールド３４を表す文字列として「２０１４／２／５」が、それぞれ割り当てられている。同様に、３行目のレコードでは、番号フィールド３１に番号を表す文字列として「３」、品名フィールド３２に品名を表す文字列として「プリンタ」、資産コードフィールド３３を表す文字列として「０９−１９６」、購入日フィールド３４を表す文字列として「２０１４／７／１９」が、それぞれ割り当てられている。同様に、４行目のレコードでは、番号フィールド３１に番号を表す文字列として「４」、品名フィールド３２に品名を表す文字列として「コピー機」、資産コードフィールド３３を表す文字列として「０８−０７１」、購入日フィールド３４を表す文字列として「２０１０／１／２６」が、それぞれ割り当てられている。同様に、５行目のレコードでは、番号フィールド３１に番号を表す文字列として「５」、品名フィールド３２に品名を表す文字列として「ホワイトボード」、資産コードフィールド３３を表す文字列として「００−３４８」、購入日フィールド３４を表す文字列として「２０１５／３／３」が、それぞれ割り当てられている。
【００４３】
上記データベース３０は、メモリ２１５に備えられたデータベース記憶部２１５Ｂ（図３参照）に記憶されている。本実施形態では、予め、データベース３０が例えば上記パーソナルコンピュータＰＣ側で作成され、その作成されたデータベース３０が、パーソナルコンピュータＰＣから入出力インターフェース２１５を介して、印字ラベル作成装置１のＣＰＵ２１２に送られ、上記データベース記憶部２１５Ｂに格納される。
【００４４】
＜テンプレート記憶部＞
上記データベース印刷において用いられるテンプレートＴＰの一例を図６（ａ）及び図６（ｂ）に示す。
【００４５】
図６（ａ）において、テンプレートＴＰは、上記図５に示すデータベース３０の各レコードにおいて４つのフィールド３１〜３４にそれぞれ割り当てられた４つの文字列を所定の態様で割り付けるためのテンプレートである。すなわち、このテンプレートＴＰでは、４つの印字オブジェクトＡ，Ｂ，Ｃ，Ｄ，Ｅが所定の態様で割り付けられている。
【００４６】
印字オブジェクトＣは、上記図３に示すデータベース３０の各レコードにおいて品名フィールド３２に割り当てられた文字列に対応する割り付け枠（但し内部に固定文字列「品名：」が固定的に配置される）であり、テンプレートＴＰにおける右側上段に配置されている。
【００４７】
印字オブジェクトＤは、上記図３に示すデータベース３０の各レコードにおいて資産コードフィールド３３に割り当てられた文字列に対応する割り付け枠（但し内部に固定文字列「資産コード：」が固定的に配置される）であり、テンプレートＴＰにおける上記印字オブジェクトＣの下側（言い替えれば右側中段）に配置されている。
【００４８】
印字オブジェクトＥは、上記図３に示すデータベース３０の各レコードにおいて購入日フィールド３４に割り当てられた文字列に対応する割り付け枠（但し内部に固定文字列「年」「月」「日」が固定的に配置される）であり、テンプレートＴＰにおける上記印字オブジェクトＤの下側（言い替えれば右側下段）に配置されている。
【００４９】
印字オブジェクトＢは、上記図３に示すデータベース３０の各レコードのフィールド３２，３３，３４に割り当てられた各文字列を用いて生成されたバーコードに対応する割り付け枠であり、テンプレートＴＰにおける上記印字オブジェクトＣ，Ｄ，Ｅの左側に配置されている。
【００５０】
印字オブジェクトＡは、上記印字オブジェクトＢ，Ｃ，Ｄ，Ｅを互いに区切る枠線及び全体を包囲する外枠線が固定的に配置されている。
【００５１】
そして、上記構成のテンプレートＴＰは、メモリ２１５に備えられたテンプレート記憶部２１５Ａ（テンプレート記憶手段に相当。図３参照）に記憶されている。すなわち本実施形態では、予め、テンプレートＴＰが例えば上記パーソナルコンピュータＰＣ側で作成され、その作成されたテンプレートＴＰが、パーソナルコンピュータＰＣから入出力インターフェース２１５を介して、印字ラベル作成装置１のＣＰＵ２１２に送られ、テンプレート記憶部２１５Ａに格納される。
【００５２】
＜データベース印刷の流れ＞
そして、データベース印刷の実行時には、例えばユーザ（操作者、使用者）によりタッチパネル部５Ａ又は操作ボタン部５Ｃが適宜に操作され、上記データベース３０の少なくとも１つのレコードを指定する印刷指示が行われると、上記指定されたデータベース３０の各レコードごとに、上記フィールド３２，３３，３４にそれぞれ割り当てられた複数の文字列がテンプレートＴＰに流し込まれて各印字オブジェクトＣ，Ｄ，Ｅに割り付けられる。なお、本実施形態では、上記タッチパネル部５Ａ又は操作ボタン部５Ｃの操作に代えて、上記入出力インターフェース２１５に接続したバーコードリーダＢＲ（図３の２点鎖線参照）を操作し、適宜のバーコードをスキャンして読み込むことで上記印刷指示を行うこともできる（詳細な説明は省略）。すなわちこの場合は、上記バーコードリーダＢＲが印字ラベル作成装置１の操作部として機能することとなる。
【００５３】
図６（ｂ）は、上記データベース３０のレコード番号「１」のレコードが選択された場合を示している。この場合、上記流し込みによって、図示のように、印字オブジェクトＣの内容は「品名：プロジェクタ」となり、印字オブジェクトＤの内容は「資産コード：０７−１２３」となり、印字オブジェクトＥの内容は「購入日：２０１２年８月２４日」となる。また、印字オブジェクトＢの内容は、上記「品名：プロジェクタ」「資産コード：０７−１２３」「購入日：２０１２年８月２４日」をバーコード化したものとなっている。なお、印字オブジェクトＢは、前述の例では上記流し込みの前は上記割り付け枠の中は空白（枠のみ）であったが、これに限られない。すなわち、上記流し込みの前にデフォルトにて適宜の態様のバーコードが印字オブジェクトＢ内に配置されており、上記流し込みによって上述の内容に差し替えられるようにしてもよい。
【００５４】
レコード番号「１」に関しては、上記のようにしてデータ流し込み及び割り付けが済んだテンプレートＴＰを用いて、対応する１つの印字ラベル（この例では図４に示す印字ラベルＬ）が作成される。他のレコード番号「２」「３」・・の各データについても同様である。
【００５５】
＜テンプレートのデータ構造＞
ここで、上記のようなテンプレートＴＰのデータ構造について、以下、詳細に説明する。データ上の観点で見ると、テンプレートＴＰの印字オブジェクトＡ〜Ｅは、それぞれ個別の印字態様（配置、姿勢、フォントなど）を設定する印字データで定義される。既に述べたように、上記印字オブジェクトＡの印字データは枠線の画像データであり、上記印字オブジェクトＢの印字データはバーコードの画像データであり、上記印字オブジェクトＣの印字データは「品名」項目（言い替えれば上記品名フィールド３２）に対応するテキストデータであり、印字オブジェクトＤの印字データは「資産コード」項目（言い替えれば上記資産コードフィールド３３）に対応するテキストデータであり、印字オブジェクトＥの印字データは「購入日」項目（言い替えれば上記購入日フィールド３２）に対応するテキストデータである。
【００５６】
このようなテンプレートＴＰのデータは、例えば図７で模式的に示すような各印字オブジェクトの配列情報Ｆで構成される。この印字オブジェクト配列情報Ｆは、「備品管理ラベル」をタイトルとした上記図６（ｂ）のテンプレートＴＰに対応するもの（すなわち前述のレコード番号「１」のレコードのデータ流し込み後の姿）である。この配列情報Ｆには、上記」５つの印字オブジェクトＡ〜Ｅそれぞれに対応する印字データＦＡ，ＦＢ，ＦＣ，ＦＤ，ＦＥが含まれている。
【００５７】
印字データＦＡ〜ＦＥは、それぞれ、対応する印字オブジェクトＡ〜Ｅの識別情報「Ｏｂｊｅｃｔ」と、当該印字オブジェクトＡ〜Ｅを配列するときの位置情報「Ｌｏｃａｔｅ」と、当該印字オブジェクトＡ〜Ｅを配列するときのサイズ情報「Ｓｉｚｅ」と、当該印字オブジェクトＡ〜Ｅの属性情報「Ｔｙｐｅ」と、データ内容「Ｄａｔａ」と、を含んでいる。なお後述するように、バーコードの画像データに対応する印字データＦＢだけが規格情報「Ａｔｔｒｉｂｕｔｅ」も含んでいる。ここでは、上記のうち、識別情報、位置情報、サイズ情報、属性情報（印字データＦＢについてはさらに規格情報も）をまとめて書誌データと称し、データ内容そのものを実体データと言う。なお、図７中においては、各印字オブジェクトの上記位置情報、上記サイズ情報について具体的な数値の代わりに「？？，？？」で略記している。
【００５８】
印字データＦＡは、上記印字オブジェクトＡの枠線の画像データに対応しており、「Ｏｂｊｅｃｔ  ＦＩＧ」の文字列からなる上記識別情報、適宜の単位設定により印字ラベルＬの紙面上の座標で表される上記位置情報、適宜の単位設定で表される上記サイズ情報、及び実体データが枠線の画像データであることを表す上記属性情報とからなる書誌データと、「ｆｌａｍｅ．ｂｍｐ」のファイル名で表される上記実体データ（内容の枠線画像は図６参照）と、を含んでいる。なお、単純な図形の組み合わせからなる枠線の画像データについては、ラスタデータ形式（．ｂｍｐ，．ｊｐｇ，．ｐｎｇ）だけでなくベクタデータ形式（．ｄｘｆ，．ｓｖｇ）も適用可能である。
【００５９】
印字データＦＢは、上記印字オブジェクトＢのバーコードの画像データに対応しており、「Ｏｂｊｅｃｔ  ＢＣ」の文字列からなる上記識別情報、適宜の単位設定により印字ラベルＬの紙面上の座標で表される上記位置情報、適宜の単位設定で表される上記サイズ情報、実体データがバーコードの内容を意味するテキストデータであることを表す上記属性情報、及びバーコードの規格がＱＲコード（登録商標）であること表す上記規格情報とからなる書誌データと、「品名：プロジェクタ」、「資産コード：０７−１２３」、「購入日：２０１２年８月２４日」との文字列に対応したテキストデータである上記実体データ（コード化したバーコード画像は図６参照）と、を含んでいる。
【００６０】
印字データＦＣは、上記印字オブジェクトＣのテキストデータに対応しており、「Ｏｂｊｅｃｔ  １」の文字列からなる上記識別情報、適宜の単位設定により印字ラベルＬの紙面上の座標で表される上記位置情報、適宜の単位設定で表される上記サイズ情報、及び実体データがテキストデータであることを表す上記属性情報とからなる書誌データと、「品名：プロジェクタ」の文字列に対応したテキストデータである上記実体データと、を含んでいる。
【００６１】
印字データＦＤは、上記印字オブジェクトＤのテキストデータに対応しており、「Ｏｂｊｅｃｔ  ２」の文字列からなる上記識別情報、適宜の単位設定により印字ラベルＬの紙面上の座標で表される上記位置情報、適宜の単位設定で表される上記サイズ情報、及び実体データがテキストデータであることを表す上記属性情報とからなる書誌データと、「資産コード：０７−１２３」の文字列に対応したテキストデータである上記実体データと、を含んでいる。
【００６２】
印字データＦＥは、上記印字オブジェクトＥのテキストデータに対応しており、「Ｏｂｊｅｃｔ  ３」の文字列からなる上記識別情報、適宜の単位設定により印字ラベルＬの紙面上の座標で表される上記位置情報、適宜の単位設定で表される上記サイズ情報、及び実体データがテキストデータであることを表す上記属性情報とからなる書誌データと、西暦の日付「２０１２年８月２４日」の文字列に対応したテキストデータである上記実体データと、を含んでいる。なおこの例では、日付データの実体データを直接文字列で表記しているが、これ以外にも対応する和暦又は西暦の日付を整数値で記憶しても良い。以上のような印字データの配列情報Ｆで、１つのテンプレートＴＰが構成されている。
【００６３】
＜本実施形態の特徴＞
以上のような本実施形態の基本構成において、本実施形態の特徴は、上記のようなデータベース印刷により印字ラベルＬを作成する際、印字ラベル作成装置１が固有に保持する固有情報（例えば印字ラベル作成装置１の各個体に付与された個体識別情報であるシリアルナンバー）をバーコード化して上記バーコード印字部ＬＢの内容に含めることにある。以下、その詳細を順を追って説明する。
【００６４】
上述したように、本実施形態の印字ラベル作成装置１においては、少なくともバーコードオブジェクトを割り付けたテンプレートＴＰ（但しこの例ではバーコードオブジェクトとしての上記印字オブジェクトＢとテキストオブジェクトとしての上記印字オブジェクトＣ，Ｄ，Ｅとの両方が割り付けられている）が、テンプレート記憶手段２１５Ａに記憶されている。当該テンプレートＴＰを用いて印字ラベルＬを作成することで、上記バーコードオブジェクトに対応したバーコード印字部ＬＢが、当該印字ラベルＬ中に形成される。
【００６５】
このとき、本実施形態においては、上記テンプレートＴＰに備えられる、バーコードオブジェクトである上記オブジェクトＢ中に、所定の態様の識別子ＩＤ（後述）を予め設けておくことで、印字ラベル作成装置１の上記シリアルナンバーが取得（収集）されてバーコード化し、その内容を上記バーコード印字部ＬＢ中に含めることができる。
【００６６】
すなわち、印字ラベルＬの作成指示が受け付けられテンプレート記憶手段２１５Ａから上記テンプレートＴＰが読み込まれると、ＣＰＵ２１２が、その読み込んだテンプレートＴＰに備えられるバーコードオブジェクト（上記の例ではオブジェクトＢ）中に上記所定の態様の識別子ＩＤ（詳細は後述）があるかどうかを判定し、存在した場合には、上記シリアルナンバー（この例では「プリンタシリアルＮｏ．ＸＹ−４５１９８８」。後述の図９参照）のバーコード化を実行する。
【００６７】
＜収集識別子を含むテンプレートの例＞
上記収集識別子を含む、テンプレートＴＰのデータ構造の一例を、上記図７に対応する図８に模式的に示す。この図８における上記配列情報Ｆにおいては、まず、印字オブジェクトＢに対応する上記印字データＦＢの識別情報が上記図７と異なっている。すなわち、この例では、上記識別情報は、「Ｏｂｊｅｃｔ  ＿ＡＬＬ＿」の文字列により構成され、識別子ＩＤとして文字列「＿ＡＬＬ＿」（収集識別子に相当）が含まれている。
【００６８】
この「＿ＡＬＬ＿」の識別子ＩＤが存在した場合には、このテンプレートＴＰに含まれる全印字オブジェクト（上記の例では５つの印字オブジェクトＡ〜Ｅ）それぞれに対応する印字データ（上記の例では印字データＦＡ，ＦＢ，ＦＣ，ＦＤ，ＦＥ）に含まれる全テキストデータ（上記の例では「品名：プロジェクタ」「資産コード：０７−１２３」「２０１２年８月２４日」）と、上記シリアルナンバー（この例では「プリンタシリアルＮｏ．ＸＹ−４５１９８８」と、がバーコード化される。
【００６９】
図８においては、上記のバーコード化に対応し、上記印字データＦＢの実体データの内容も上記図７と異なっている。すなわち、上記実体データにおいて、「品名：プロジェクタ」、「資産コード：０７−１２３」、「購入日：２０１２年８月２４日」の文字列に対応したテキストデータに、さらに上述のようにして収集「プリンタシリアルＮｏ．ＸＹ−４５１９８８」の文字列に対応したテキストデータが新たに加わっている。
【００７０】
そして、この図８に示すデータ構造のテンプレートＴＰが用いられることで、図９に示すように、上記のようにしてバーコード化された内容（上記の例では「品名：プロジェクタ」「資産コード：０７−１２３」「２０１２年８月２４日」「プリンタシリアルＮｏ．ＸＹ−４５１９８８」）を記録したバーコード印字部ＬＢと、上記テキストデータ（上記の例では「品名：プロジェクタ」「資産コード：０７−１２３」「２０１２年８月２４日」）を表記するテキスト印字部ＬＴ１，ＬＴ，ＬＴ３を含む、印字ラベルＬが作成される。
【００７１】
なお、図１０に示すように、印字ラベルＬにおいて、「品名：プロジェクタ」「資産コード：０７−１２３」「２０１２年８月２４日」をそれぞれ表記するテキスト印字部ＬＴ１，ＬＴ，ＬＴ３に加え、上記「プリンタシリアルＮｏ．ＸＹ−４５１９８８」を表記するテキスト印字部ＬＴ４を設けるようにしてもよい。
【００７２】
＜収集識別子を含むテンプレートの別の例＞
上記収集識別子を含む、テンプレートＴＰのデータ構造の別の例を、上記図７、図８に対応する図１１に模式的に示す。この図１１における上記配列情報Ｆにおいては、上記図８と同様、印字オブジェクトＢに対応する上記印字データＦＢの識別情報が上記図７と異なっている。すなわち、この例では、上記識別情報は、「Ｏｂｊｅｃｔ  ＿ＳＲ＿」の文字列により構成され、識別子ＩＤとして文字列「＿ＳＲ＿」（収集識別子に相当）が含まれている。
【００７３】
この「＿ＳＲ＿」の識別子ＩＤが存在した場合には、上記シリアルナンバー（この例では「プリンタシリアルＮｏ．ＸＹ−４５１９８８」のみがバーコード化される。これに対応し、上記印字データＦＢの実体データの内容も上記図７と異なっている。すなわち、上記実体データには、「プリンタシリアルＮｏ．ＸＹ−４５１９８８」の文字列に対応したテキストデータのみが含まれており、前述のような「品名：プロジェクタ」、「資産コード：０７−１２３」、「購入日：２０１２年８月２４日」の文字列に対応したテキストデータは含まれない。
【００７４】
そして、この図１１に示すデータ構造のテンプレートＴＰが用いられることで、図１２に示すように、上記のようにしてバーコード化された内容（この例では「プリンタシリアルＮｏ．ＸＹ−４５１９８８」）のみを記録したバーコード印字部ＬＢと、上記テキストデータ（上記の例では「品名：プロジェクタ」「資産コード：０７−１２３」「２０１２年８月２４日」）を表記するテキスト印字部ＬＴ１，ＬＴ，ＬＴ３を含む、印字ラベルＬが作成される。
【００７５】
なお、この場合も、上記図１０と同様、図１３に示すように、印字ラベルＬにおいて、「品名：プロジェクタ」「資産コード：０７−１２３」「２０１２年８月２４日」をそれぞれ表記するテキスト印字部ＬＴ１，ＬＴ，ＬＴ３に加え、上記「プリンタシリアルＮｏ．ＸＹ−４５１９８８」を表記するテキスト印字部ＬＴ４を設けるようにしてもよい。
【００７６】
＜収集識別子を含まないテンプレートの例＞
なお、本実施形態においては、上記収集識別子を備えない、従来手法によるテンプレートＴＰも使用可能である。そのようなテンプレートＴＰのデータ構造の例を、上記図７、図８、図１１に対応する図１４に模式的に示す。この図１４における上記配列情報Ｆにおいては、上記図８、図１１と同様、印字オブジェクトＢに対応する上記印字データＦＢの識別情報が上記図７と異なっている。すなわち、この例では、上記識別情報は、「Ｏｂｊｅｃｔ  ＿ＯＢＪ＿１＿２＿３」の文字列により構成され、識別子ＩＤとして、上記収集識別子には相当しない文字列「＿ＯＢＪ＿１＿２＿３」が含まれている。ちなみに本実施形態では、上記週識別子に相当するのは、前述した文字列「＿ＡＬＬ＿」及び文字列「＿ＳＲ＿」のみとなっている。
【００７７】
この「＿ＯＢＪ＿・・・」の識別子ＩＤが存在した場合には、このテンプレートＴＰに含まれる全印字オブジェクト（上記の例では５つの印字オブジェクトＡ〜Ｅ）それぞれに対応する印字データ（上記の例では印字データＦＡ，ＦＢ，ＦＣ，ＦＤ，ＦＥ）に含まれる全テキストデータ（上記の例では「品名：プロジェクタ」「資産コード：０７−１２３」「２０１２年８月２４日」）のうち、上記・・の部分で識別情報の番号部分を指定されたオブジェクトの、印字データのテキストデータのみがバーコード化される。この例では、「＿ＯＢＪ＿１＿２＿３」によって「Ｏｂｊｅｃｔ  １」「Ｏｂｊｅｃｔ  ２」「Ｏｂｊｅｃｔ  ３」の３つが指定されていることとなり、印字データＦＣに対応した「品名：プロジェクタ」と、印字データＦＤに対応した「資産コード：０７−１２３」と、印字データＦＥに対応した「２０１２年８月２４日」と、がバーコード化される。
【００７８】
図１４においては、上記のバーコード化に対応し、上記印字データＦＢの実体データの内容が上記図７と同一となっている。すなわち、上記実体データは、「品名：プロジェクタ」、「資産コード：０７−１２３」、「購入日：２０１２年８月２４日」の文字列に対応したテキストデータとなっている。
【００７９】
以上の結果、図１４に示すテンプレートＴＰの配列情報Ｆは、実質的に上記図７と同等の内容となっている。したがって、この図１４に示すデータ構造のテンプレートＴＰが用いられると、上記図４に示された印字ラベルＬが作成される。
【００８０】
＜制御内容＞
上記の内容を実現するために、印字ラベル作成装置１の上記ＣＰＵ２１２によって実行される制御内容を、図１５を用いて説明する。
【００８１】
図１５に示すフローチャートにおいて、例えばユーザによる電源ボタン７Ａの押下で印字ラベル作成装置１の電源がオンにされることによって、このフローが開始される（「ＳＴＡＲＴ」位置）。
【００８２】
まずステップＳ１０で、ＣＰＵ２１２は、ユーザによる、上記タッチパネル部５Ａ又は操作ボタン部５Ｃの操作、若しくは、バーコードリーダＢＲを用いたバーコードのスキャンにより、印字ラベルＬの作成指示が取得されたか否かを判定する。作成指示が取得されていなければステップＳ１０の判定は満たされず（Ｓ１０：ＮＯ）、作成指示が取得されるまでループ待機する。作成指示が取得されればステップＳ１０の判定は満たされて（Ｓ１０：ＹＥＳ）、ステップＳ２０へ移行する。このステップＳ１０を実行するＣＰＵ２１２が、各請求項記載の指示受付手段として機能する。
【００８３】
その後、ステップＳ２０では、ＣＰＵ２１２は、上記データベース記憶部２１５Ｂに記憶されているデータベース３０（図５参照）から、全てのレコード（レコード番号１、２，３，４，５，・・）のテキストデータを取得する。
【００８４】
そして、ステップＳ３０で、ＣＰＵ２１２は、印字ラベル作成装置１の固有情報であるシリアルナンバー（前述の例では「プリンタシリアルＮｏ．ＸＹ−４５１９８８」）を、例えば予め記憶されていた上記ＲＯＭ２１４から取得する。このステップＳ３０を実行するＣＰＵ２１２が、各請求項記載の固有情報取得手段として機能する。
【００８５】
その後、ステップＳ４０で、ＣＰＵ２１２は、上記メモリ２１５のテンプレート記憶部２１５Ａに記憶されているテンプレートＴＰを読み込む。その後、ステップＳ５０に移る。
【００８６】
ステップＳ５０では、ＣＰＵ２１２は、上記ステップＳ４０で読み込んだテンプレートＴＰのうち、図形データ部分（前述の例では印字オブジェクトＡの印字データＦＡを構成する、枠線の画像データ）をＲＡＭ２１３の上記印字バッファ２１３Ａに展開する。
【００８７】
その後、ステップＳ６０で、ＣＰＵ２１２は、上記ステップＳ４０で読み込んだテンプレートＴＰのバーコードオブジェクト（上記の例では印字オブジェクトＢ）の識別情報（オブジェクト名称）中に、上記収集識別子の１つである「＿ＳＲ＿」の識別子ＩＤが含まれているか否か、を判定する。識別情報中に「＿ＳＲ＿」が含まれていなければステップＳ６０の判定は満たされず（Ｓ６０：ＮＯ）、後述のステップＳ７０に移行する。識別情報中に「＿ＳＲ＿」が含まれていればステップＳ６０の判定は満たされて（Ｓ６０：ＹＥＳ）、ステップＳ１１０へ移行する。
【００８８】
ステップＳ１１０では、ＣＰＵ２１２は、ステップＳ３０で取得された上記シリアルナンバー（前述の例では「プリンタシリアルＮｏ．ＸＹ−４５１９８８」）のみを公知の手法でバーコード化して、後述のステップＳ９０に移行する。
【００８９】
一方、ステップＳ６０の判定が満たされずに移行するステップＳ７０では、ＣＰＵ２１２は、上記ステップＳ４０で読み込んだテンプレートＴＰのバーコードオブジェクト（上記の例では印字オブジェクトＢ）の識別情報中に、上記収集識別子の１つである「＿ＡＬＬ＿」の識別子ＩＤが含まれているか否か、を判定する。識別情報中に「＿ＡＬＬ＿」が含まれていなければステップＳ７０の判定は満たされず（Ｓ７０：ＮＯ）、後述のステップＳ１２０に移行する。識別情報中に「＿ＡＬＬ＿」が含まれていればステップＳ７０の判定は満たされて（Ｓ７０：ＹＥＳ）、ステップＳ８０へ移行する。なお、このステップＳ７０及び上記ステップＳ６０を実行するＣＰＵ２１２が、各請求項記載の識別子判定手段として機能する。
【００９０】
ステップＳ８０では、ＣＰＵ２１２は、ステップＳ３０で取得された上記シリアルナンバー（前述の例では「プリンタシリアルＮｏ．ＸＹ−４５１９８８」）と、上記ステップＳ２０で取得したテキストデータとの全てを公知の手法でバーコード化して、後述のステップＳ９０に移行する。
【００９１】
一方、ステップＳ７０の判定が満たされなかった場合は、上記ステップＳ４０で読み込んだテンプレートＴＰのバーコードオブジェクト（上記の例では印字オブジェクトＢ）の識別情報（オブジェクト名称）中に、上記収集識別子が含まれず、前述の「ＯＢＪ＿・・」の識別子ＩＤが含まれることとなる。すなわち、本実施形態では、バーコードオブジェクトの識別情報には、「＿ＳＲ＿」、「＿ＡＬＬ＿」「ＯＢＪ＿・・」のいずれかの識別子ＩＤが必ず含まれている。したがって、ＣＰＵ２１２は、ステップＳ１２０で、上記ステップＳ４０で読み込んだテンプレートＴＰに含まれる各印字オブジェクトのうち、上記「・・」の部分で識別情報の番号部分を指定されたオブジェクトの、印字データのテキストデータのみを公知の手法でバーコード化する。その後、後述のステップＳ９０に移行する。
【００９２】
ステップＳ９０では、ＣＰＵ２１２は、上記ステップＳ１１０、若しくはステップＳ８０、若しくはステップＳ１２０、でバーコード化したデータを対応するバーコードオブジェクト（上記の例では印字オブジェクトＢ）に割り当てると共に、上記ステップＳ２０で取得したテキストデータを対応する各印字オブジェクト（上記の例では印字オブジェクトＣ，Ｄ，Ｅ）に割り当てつつ、上記印字バッファ２１３Ａに展開する。なお、このステップＳ９０と前述のステップＳ２０を実行するＣＰＵ２１２が、各請求項記載のテキストデータ取得手段として機能し、またこのステップＳ９０と前述のステップＳ８０及びステップＳ１１０とを実行するＣＰＵ２１２が、各請求項記載のバーコード化手段として機能する。
【００９３】
その後、ステップＳ１００では、ＣＰＵ２１２は、モータ駆動回路２１６を介してプラテンローラ用モータ２１１を駆動するとともに、印字ヘッド制御回路２１７を介して印字ヘッド６１の上記発熱素子を通電する。これにより、プラテンローラ６６により被印字テープ３Ａが搬送されつつ、上記ステップＳ９０で印字バッファ２１３Ａに展開した内容に基づく印字が印字ヘッド６１によって実行され、バーコード印字部ＬＢとテキスト印字部ＬＴ１〜３を含む印字ラベルＬが作成される。なお、このステップＳ１００を実行するＣＰＵ２１２が、各請求項記載の制御手段として機能する。その後、このフローを終了する。
【００９４】
なお、以上のようにして印字ラベルが作成されたとき、例えば上記ステップＳ６０→ステップＳ１１０→ステップＳ９０→ステップＳ１００を経て作成された場合は、例えば上記図１２に示される、上記シリアルナンバーのみがバーコード印字部ＬＢに記録された印字ラベルＬとなる。また例えば、上記ステップＳ６０→ステップＳ７０→ステップＳ８０→ステップＳ９０→ステップＳ１００を経て作成された場合は、例えば、上記図９に示される、全印字オブジェクトに含まれる全テキストデータと上記シリアルナンバーとがバーコード印字部ＬＢに記録された印字ラベルＬとなる。さらに例えば、上記ステップＳ６０→ステップＳ７０→ステップＳ１２０→ステップＳ９０→ステップＳ１００を経て作成された場合は、例えば、上記図４に示される、全印字オブジェクトに含まれる全テキストデータのみがバーコード印字部ＬＢに記録された印字ラベルＬとなる。
【００９５】
＜本実施形態の効果＞
以上説明したように、本実施形態においては、上記のようにいわゆるデータベース印刷を行う際に、テンプレートＴＰのバーコードオブジェクトの識別子ＩＤを予め所定の収集識別子（上記の例では文字列「＿ＡＬＬ＿」若しくは「＿ＳＲ＿」）とするだけで上記固有情報（上記の例ではシリアルナンバー）が自動的に取得（収集）される。そして、その固有情報がバーコード化して表記された印字ラベルＬを、（例えば上記パーソナルコンピュータＰＣやスマートフォン等の高機能端末を印字ラベル作成装置１に接続し上記固有情報を吸い上げる等の、ユーザの手間なしに）容易に作成することができる。この結果、ユーザにとっての利便性を向上することができる。
【００９６】
また、本実施形態においては特に、前述のように、ステップＳ９０において、バーコード化したデータを対応するバーコードオブジェクト（上記の例では印字オブジェクトＢ）に割り当てると共に、上記ステップＳ２０で取得したテキストデータを対応する各印字オブジェクト（上記の例では印字オブジェクトＣ，Ｄ，Ｅ）に割り当て、上記印字バッファ２１３Ａに展開する。これにより、バーコード化された表記のバーコード印字部ＬＢのみならず、通常のテキスト文字が表記されるテキスト印字部ＬＴ１〜３も併せ備えた、印字ラベルＬ（図９、図１０、図１２、図１３参照）を作成することができる。なお、図示を省略するが、テキスト印字部ＬＴ１を備えないバーコード印字部ＬＢのみを備えた印字ラベルを上記の手法で作成することもできる。この場合も、上記手法（バーコードオブジェクトの識別情報に収集識別子を設けることで、自動的にシリアルナンバーをバーコード化する）により、上記同様にユーザの手間なしに容易に印字ラベルを作成でき、ユーザにとっての利便性を向上することができる。
【００９７】
また、本実施形態においては特に、バーコードオブジェクト（上記の例では印字オブジェクトＢ）の上記識別情報に「＿ＡＬＬ＿」が含まれている場合には、全印字オブジェクトに含まれる全テキストデータと上記シリアルナンバーとがバーコード印字部ＬＢに記録された印字ラベルＬ（図９）が作成される。これにより、作成された印字ラベルＬの当該バーコード印字部ＬＢを例えば適宜のバーコードリーダで読み取ることで、上記テキストデータ及び上記シリアルナンバーをすべて取得することができる。
【００９８】
なお、以上においては、上記固有情報として、プリンタシリアルナンバーをＣＰＵ２１２が取得してバーコード化した場合を例にとって説明したが、これに限られない。例えば、印刷日時（すなわち印字ラベルＬの作成日時）をＣＰＵ２１２が取得してバーコード化するようにしてもよい。この場合は、上記図１５のステップＳ３０で、ＣＰＵ２１２の上記タイマー２１２Ａより上記作成日時が取得される。
【００９９】
本発明の第２実施形態を図１６〜図２２により説明する。本実施形態は、カートリッジから供給される被印字テープに対し、印字形成を行って印字ラベルを作成する場合の実施形態である。上記第１実施形態と同等の部分には適宜同一の符号を付し、説明を省略又は簡略化する。
【０１００】
図１６は、本実施形態によるラベル印刷装置を、接続されるバーコードリーダとともに表す構成図である。図１６において、ラベル作成装置１００（印刷物作成装置に相当）には、ＵＳＢケーブル９を介し上記バーコードリーダＢＲが接続されている。
【０１０１】
ラベル作成装置１００は、筐体１０１を有し、筐体１０１の上面部には、開閉可能（又は着脱可能としてもよい）に設けられた開閉蓋１０２が設けられている。筐体１０１の前面部には、テープ排出口１０４が設けられている。テープ排出口１０４は、筐体１０１内で作成された印字済みラベルテープ４２３（後述の図１８参照）を筐体１０１外へ排出するためのものである。
【０１０２】
バーコードリーダＢＲは、例えば適宜の印刷体３００に設けられたバーコードＢＣから光学的に情報読み取りを行う。バーコードリーダＢＲによって読み取られた情報は、上記ＵＳＢケーブル９を介してラベル作成装置１００へ出力される。すなわち、この例では、上記バーコードＢＣをバーコードリーダＢＲがスキャンして読み込むことで、先に述べた印刷指示をラベル作成装置１００に対して行うことができる。これにより、バーコードリーダＢＲが印字ラベル作成装置１００の操作部として機能する。
【０１０３】
図１７は、ラベル作成装置１００の上記開閉蓋１０２を開いた状態で筐体１０１の内部のカートリッジホルダ及びそれに装着させるカートリッジの外観構成を表す斜視図である。この図１７では、図示の煩雑を避けるため上方に開いた状態の上記開閉蓋１０２の図示は省略している。図１８は、カートリッジを装着した状態のカートリッジホルダの周辺部分を、カートリッジとともに示す図である。
【０１０４】
これら図１７及び図１８において、ラベル作成装置１００の筐体１０１内部には、カートリッジ４１０を着脱可能なカートリッジホルダ４２７と、印字ヘッド４１９（印字手段に相当）と、テープ送りローラ駆動軸４３０（搬送手段に相当）と、リボン巻取りローラ駆動軸４３１とが設けられている。カートリッジ４１０は、この例では、全体が略直方体形状に形成された箱体であり、その一部には表裏両面を貫通するヘッド挿通開口４３９が形成されている。
【０１０５】
カートリッジ４１０は、基材テープ４１６を巻回した基材テープロール４１７と、被印字媒体であるカバーフィルム４１１を巻回したカバーフィルムロール４１２と、印字用のインクリボン４１３（但し被印字媒体が感熱テープの場合は不要）を繰り出すリボン供給側ロール４１４と、印字後のインクリボン４１３を巻取るリボン巻取りローラ４１５と、テープ送りローラ４１８とを有している。
【０１０６】
基材テープロール４１７は、基材テープ用スプール４１７ａの周りに、上記基材テープ４１６を巻回している。
【０１０７】
基材テープ４１６は、複数層（この例では４層）の積層構造を備えている（図１８中部分拡大図参照）。すなわち、内側に巻かれる側（部分拡大図中右側）よりその反対側（部分拡大図中左側）へ向かって、適宜の粘着剤からなり上記カバーフィルム４１１を貼り合わせるための粘着剤層４１６ａ、例えばＰＥＴ（ポリエチレンテレフタラート）等からなるテープ基材層４１６ｂ、適宜の粘着剤からなる粘着剤層４１６ｃ、剥離紙４１６ｄの順序で積層され構成されている。
【０１０８】
剥離紙４１６ｄは、最終的に完成した印字ラベル（後述のテキストラベルＬ１とバーコードラベルＬ２の総称。詳細は後述）が所定の物品等の貼り付け対象物に貼り付けられる際に、これを剥がすことで粘着剤層４１６ｃにより当該貼り付け対象物に接着できるようにしたものである。
【０１０９】
カバーフィルムロール４１２は、カバーフィルム用スプール４１２ａの周りに、この例では上記基材テープ４１６と略同じ幅である上記カバーフィルム４１１を巻回している。
【０１１０】
リボン供給側ロール４１４は、リボン供給側スプール４１４ａの周りに、上記インクリボン４１３を巻回している。
【０１１１】
リボン巻取りローラ４１５は、リボン巻取りスプール４１５ａを備えており、カートリッジホルダ４２７側の上記リボン巻取りローラ駆動軸４３１により駆動されることで、印字済み（使用済み）のインクリボン４１３を巻取り、リボン巻取りスプール４１５ａに巻回する。
【０１１２】
テープ送りローラ４１８は、カートリッジホルダ４２７側の上記テープ送りローラ駆動軸４３０により駆動されることで、上記基材テープ４１６と上記カバーフィルム４１１とを押圧し接着させ印字済みラベル用テープ４２３としつつ、図１８中矢印Ｔで示す方向にテープ送りを行う。
【０１１３】
なお、上記リボン巻取りローラ４１５及びテープ送りローラ４１８は、それぞれカートリッジ４１０外に設けた例えばパルスモータであるテープ送りモータ４３３（後述の図１９参照）の駆動力が図示しないギヤ機構を介し上記リボン巻取りローラ駆動軸４３１及びテープ送りローラ駆動軸４３０に伝達されることによって連動して回転駆動される。
【０１１４】
一方、カートリッジホルダ４２７は、上記印字ヘッド４１９と、上記リボン巻取りローラ駆動軸４３１と、上記テープ送りローラ駆動軸４３０と、ローラホルダ４２２とを有している。
【０１１５】
印字ヘッド４１９は、多数の発熱素子を備えており、上記カバーフィルムロール４１２から繰り出されて搬送されるカバーフィルム４１１に対し、印字形成を行う。
【０１１６】
テープ送りローラ駆動軸４３０は、カートリッジホルダ４２７に装着されたカートリッジ４１０のカバーフィルムロール４１２から繰り出される（供給される）上記カバーフィルム４１１と、基材テープロール４１７から繰り出される上記基材テープ４１６とを、上記テープ送りローラ４１８を駆動させることにより搬送する。
【０１１７】
ローラホルダ４２２は、支持軸４２９により回動可能に枢支され、切換機構により印字位置とリリース位置に切換可能とされている。このローラホルダ４２２には、プラテンローラ４２０及びテープ圧接ローラ４２１が回転可能に配設されており、ローラホルダ４２２が上記印字位置に切り換えられたときに、それらプラテンローラ４２０及びテープ圧接ローラ４２１が上記印字ヘッド４１９及びテープ送りローラ４１８に対し圧着されるようになっている。
【０１１８】
さらに、カートリッジホルダ４２７には、カートリッジ４１０の排出口（図示せず）に隣接してカッタ４２８（切断手段に相当）が配設されている。このカッタ４２８は、ソレノイド４３５（後述の図１９参照）が励磁されることにより作動し、印字済みラベル用テープ４２３を厚さ方向に全切断し、後述のテキストラベルＬ１及びバーコードラベルＬ２をそれぞれ生成する（後述する図２０参照）。
【０１１９】
上記構成において、カートリッジ４１０が上記カートリッジホルダ４２７に装着された後、テープ送りモータ４３３（後述の図１９参照）の駆動力によってリボン巻取りローラ駆動軸４３１及びテープ送りローラ駆動軸４３０がそれぞれ同期して回転駆動される。テープ送りローラ駆動軸４３０の駆動に伴いテープ送りローラ４１８、プラテンローラ４２０、及びテープ圧接ローラ４２１が回転し、基材テープロール４１７から基材テープ４１６が繰り出され、上述のようにテープ送りローラ４１８へ供給される。一方、カバーフィルムロール４１２からはカバーフィルム４１１が繰り出されるとともに、印字ヘッド駆動回路４３２（後述の図４参照）により印字ヘッド４１９の複数の発熱素子が通電される。このとき、インクリボン４１３が、上記印字ヘッド４１９に押圧されることで当該カバーフィルム４１１の裏面に接触させられる。この結果、カバーフィルム４１１の裏面の所定の印字領域に、所望の印字（鏡像印字）がされる。そして、上記基材テープ４１６と上記印字が終了したカバーフィルム４１１とがテープ送りローラ４１８及びテープ圧接ローラ４２１により接着されて一体化されて印字済みラベル用テープ４２３として形成され、カートリッジ４１０外へと搬出される。そして、カッタ４２８によって印字済みラベル用テープ４２３が切断され、所望の印字がされた上記印字ラベル（印刷物に相当）が生成される。
【０１２０】
図１９は、ラベル作成装置１００の機能構成を表す機能ブロック図である。
【０１２１】
図１９において、ラベル作成装置１００の制御基板（図示せず）上に、制御回路４４０が配置されている。制御回路４４０には、ＣＰＵ４４４が設けられており、このＣＰＵ４４４に、データバス４４２を介し、入出力インターフェース４４１、ＲＯＭ４４６、メモリ４４７、ＲＡＭ４４８、及び通信用インターフェース４４３Ｈが接続されている。通信用インターフェース４４３Ｈは、上記ＵＳＢケーブル９を介し上記バーコードリーダＢＲに接続されている。
【０１２２】
ＲＯＭ４４６には、制御上必要な各種のプログラムが格納されている。ＣＰＵ４４４は、このようなＲＯＭ４４６に記憶されている各種プログラムに基づいて各種の演算を行う。ＲＡＭ４４８は、ＣＰＵ４４４により演算された各種の演算結果等を一時的に記憶する。このＲＡＭ４４８には、上記実施形態と同様、印字バッファ４４８Ａが設けられている。メモリ４４７には、上記第１実施形態と同様、上記データベース３０が記憶されているデータベース記憶部４４７Ｂと、上記テンプレートＴＰが記憶されているテンプレート記憶部４４７Ａと、が備えられている。
【０１２３】
入出力インターフェース４４１には、上記印字ヘッド４１９を駆動するための印字ヘッド駆動回路４３２と、テープ送りモータ駆動回路４３４と、上記ソレノイド４３５を駆動するソレノイド駆動回路４３６と、が接続されている。
【０１２４】
テープ送りモータ駆動回路４３４は、テープ送りモータ４３３を駆動することにより、前述のテープ送りローラ駆動軸４３０及びリボン巻取りローラ駆動軸４３１を駆動し、基材テープ４１６、カバーフィルム４１１、及び印字済みラベル用テープ４２３の搬送を行う。
【０１２５】
ソレノイド駆動回路４３６は、上記カッタ４２８を駆動して切断動作を行わせるソレノイド４３５を励磁する。
【０１２６】
図１９に示す制御回路４４０を核とする制御系において、本実施形態においても、上記第１実施形態と同様、テンプレートＴＰに割り付けられる文字列の内容を、データベース３０のレコードにより指定する、いわゆるデータベース印刷によって上記印字ラベルが作成される。その際、例えばユーザ（操作者、使用者）が上記バーコードリーダＢＲを操作し、上記バーコード３００をスキャンして読み込むことで、前述と同様、上記データベース３０の少なくとも１つのレコードを指定する印刷指示が行われる。これにより、上記指定されたデータベース３０の各レコードごとに、上記フィールド３２，３３，３４にそれぞれ割り当てられた複数の文字列がテンプレートＴＰに流し込まれて先に述べた各印字オブジェクトＣ，Ｄ，Ｅに割り付けられる。そして、前述と同様、上記データ流し込み及び割り付けが済んだテンプレートＴＰを用いて、上記印字ラベルが作成される。
【０１２７】
上記のようにして本実施形態のラベル作成装置１００において作成される印字ラベルの一例を図２０に示す。図２０において、既に述べたように、この例では上記印字済みラベルテープ４２３を用いて、上記カッタ４２８の切断によって互いに分離して生成された、テキストラベルＬ１及びバーコードラベルＬ２からなる上記印字ラベルが作成されている。この例は、上記図１０の印字ラベルＬに対応する例であり、バーコードラベルＬ２には、前述のようにしてバーコード化された内容（上記「品名：プロジェクタ」「資産コード：０７−１２３」「２０１２年８月２４日」「プリンタシリアルＮｏ．ＸＹ−４５１９８８」）を記録したバーコード印字部ＬＢが備えられる。また、テキストラベルＬ１には、上記テキストデータ（上記の例では「品名：プロジェクタ」「資産コード：０７−１２３」「２０１２年８月２４日」「プリンタシリアルＮｏ．ＸＹ−４５１９８８」）をそれぞれ表記するテキスト印字部ＬＴ１，ＬＴ，ＬＴ３，ＬＴ４が備えられる。
【０１２８】
図２１は、図２０中のＸ−Ｘ断面図である。図２１に示すように、テキストラベルＬ１は、前述の図３に示した基材テープ４１６にカバーフィルム４１１が加わった５層構造となっている。すなわち、表面（図２１中上側）よりその反対側（図２１中下側）へ向かって、カバーフィルム４１１、粘着剤層４１６ａ、テープ基材層４１６ｂ、粘着剤層４１６ｃ、剥離紙４１６ｄの順序で積層され構成されている。
【０１２９】
そして、カバーフィルム４１１の裏面には、前述の「品名：プロジェクタ」、「資産コード：０７−１２３」、「購入日：２０１２年８月２４日」、「プリンタシリアルナンバー：ＸＹ−４５１９８８」の文字からなる印字Ｒが、上記したように鏡像印字により印刷されている。
【０１３０】
なお、図示を省略しているが、バーコードラベルＬ２も上記テキストラベルＬ１と同様の層構成であり、バーコード印字部ＬＢにおいて、カバーフィルム４１１の裏面に、「品名：プロジェクタ」「資産コード：０７−１２３」「購入日：２０１２年８月２４日」「プリンタシリアルナンバー：ＸＹ−４５１９８８」の内容を記録したバーコード印字ＲＢが、上記したように鏡像印字により印刷されている。
【０１３１】
本実施形態のラベル作成装置１００の上記ＣＰＵ４４４によって実行される制御内容を表すフローチャートを、図２２に示す。図２２に示すフローでは、上記した第１実施形態の図１５のステップＳ１００に代えて、新たにステップＳ１０１及びステップＳ１０２が設けられている。すなわち、図１５と同様のステップＳ１０以降の各手順を経て、ステップＳ９０における、バーコード化したデータのバーコードオブジェクト（上記の例では印字オブジェクトＢ）への割り当てと、上記テキストデータの対応する各印字オブジェクト（上記の例では印字オブジェクトＣ，Ｄ，Ｅ）への割り当てと、それらの上記印字バッファ４４８Ａへの展開が終わったら、新たに設けたステップＳ１０１及びステップＳ１０２に移る。
【０１３２】
ステップＳ１０１及びステップＳ１０２では、前述のステップＳ１００と同様、ＣＰＵ４４４は、テープ送りモータ駆動回路４３４を介してテープ送りモータ４３３を駆動するとともに、印字ヘッド駆動回路４３２を介して印字ヘッド４１９の発熱素子を通電する。これにより、テープ送りローラ駆動軸４３０及びリボン巻取りローラ駆動軸４３１が駆動されて基材テープ４１６、カバーフィルム４１１、及び印字済みラベル用テープ４２３が搬送されつつ、上記ステップＳ９０で印字バッファ４４８Ａに展開した内容に基づく印字が印字ヘッド４１９によって実行される。また、ＣＰＵ４４４は、ソレノイド駆動回路４３６を介してソレノイド４３５を励磁することでカッタ４２８を駆動する。これらによって、ステップＳ１０１でテキスト印字部ＬＴ１，ＬＴ２，ＬＴ３，ＬＴ４を含むテキストラベルＬ１が作成され、ステップＳ１０２でバーコード印字部ＬＢを含むバーコードラベルＬ２が作成される。なお、図２０に示す例は、上記ステップＳ６０→ステップＳ７０→ステップＳ８０→ステップＳ９０→ステップＳ１０１→ステップＳ１０２を経てテキストラベルＬ１とバーコードラベルＬ２が作成された場合を例にとって示している。すなわち、前述と同様、バーコードラベルＬ２では、全印字オブジェクトに含まれる全テキストデータと上記シリアルナンバーとがバーコード印字部ＬＢに記録されている。
【０１３３】
本実施形態においては、上記のようにバーコード印字部ＬＢとテキスト印字部ＬＴ１〜３とが全切断部位によって分けられた印字ラベルを作成することができる。そしてその際、上記第１実施形態と同様、データベース印刷を行う際に上記シリアルナンバーがバーコード化して表記された印字ラベルＬを、ユーザの手間なしに容易に作成することができ、ユーザにとっての利便性を向上することができる。
【０１３４】
なお、上記第２実施形態においては、カッタ４２８により印字済みラベル用テープ４２３を厚さ方向に全切断し、テキストラベルＬ１及びバーコードラベルＬ２を互いに分離した状態でそれぞれ生成したが、これに限られない。すなわち、カッタ４２８に代えて、印字済みラベル用テープ４２３を厚さ方向に部分切断する、切断手段の別の例に相当するハーフカッタ（図示省略）を設けても良い。この場合、テキストラベルＬ１及びバーコードラベルＬ２を互いに一部接続された状態で生成することができる。この場合も上記同様の効果を得る。
【０１３５】
なお、以上においては、上記固有情報として、プリンタシリアルナンバーをＣＰＵ２１２が取得してバーコード化した場合を例にとって説明したが、これに限られない。例えば、前述のようにしてテンプレートＴＰが読み込まれ、データベース３０からの前述のデータ流し込み及び割りつけが行われた後に、当該テンプレートＴＰに含まれるテキストオブジェクト（前述の例では印字オブジェクトＣ，Ｄ，Ｅ）の内容に対し、適宜の操作手段（上記第１実施形態の印字ラベル作成装置１のタッチパネル部５Ａや操作ボタン部５Ｃ、上記第２実施形態のラベル作成装置１００の筐体１０１に設けられた図示しない操作ボタン等）によって内容の編集が行われる場合がある。このようなには、その編集に係わる編集処理情報（編集内容そのものでもよいし、編集の有無でもよい）をＣＰＵ２１２，４４４が取得してバーコード化するようにしてもよい。
【０１３６】
この場合、当該編集直後に上記編集情報が例えばＲＡＭ２１３，４４８に記憶されており、上記図１５や図２２のステップＳ３０で、上記ＲＡＭ２１３，４４８から上記編集情報が取得される。これらの場合も前述と同様の効果を得る。
【０１３７】
なお、以上において、図３、図１９に示す矢印は信号の流れの一例を示すものであり、信号の流れ方向を限定するものではない。
【０１３８】
また、図１５、図２２に示すフローチャートは本発明を上記フローに示す手順に限定するものではなく、発明の趣旨及び技術的思想を逸脱しない範囲内で手順の追加・削除又は順番の変更等をしてもよい。
【０１３９】
また、以上既に述べた以外にも、上記実施形態や各変形例による手法を適宜組み合わせて利用しても良い。
【０１４０】
その他、一々例示はしないが、本発明は、その趣旨を逸脱しない範囲内において、種々の変更が加えられて実施されるものである。
【符号の説明】
【０１４１】
１                印字ラベル作成装置（印刷物作成装置）
３Ａ              被印字テープ（被印字媒体）
６１              印字ヘッド（印字手段）
６６              プラテンローラ（搬送手段）
１００            ラベル作成装置（印刷物作成装置）
２１２            ＣＰＵ
２１４            ＲＯＭ
２１５            メモリ
２１５Ａ          テンプレート記憶部（テンプレート記憶手段）
４１１            カバーフィルム（被印字媒体）
４１９            印字ヘッド（印字手段）
４２８            カッタ（切断手段）
４３０            テープ送りローラ駆動軸（搬送手段）
Ａ〜Ｅ            印字オブジェクト
Ｌ                印字ラベル（印刷物）
Ｌ１              テキストラベル
Ｌ２              バーコードラベル
ＬＢ              バーコード印字部
ＬＴ１〜４        テキスト印字部
ＴＰ              テンプレート
【図１】
0006428680.tif 000002
【図２】
0006428680.tif 000003
【図３】
0006428680.tif 000004
【図４】
0006428680.tif 000005
【図５】
0006428680.tif 000006
【図６】
0006428680.tif 000007
【図７】
0006428680.tif 000008
【図８】
0006428680.tif 000009
【図９】
0006428680.tif 000010
【図１０】
0006428680.tif 000011
【図１１】
0006428680.tif 000012
【図１２】
0006428680.tif 000013
【図１３】
0006428680.tif 000014
【図１４】
0006428680.tif 000015
【図１５】
0006428680.tif 000016
【図１６】
0006428680.tif 000017
【図１７】
0006428680.tif 000018
【図１８】
0006428680.tif 000019
【図１９】
0006428680.tif 000020
【図２０】
0006428680.tif 000021
【図２１】
0006428680.tif 000022
【図２２】
0006428680.tif 000023